(57)【特許請求の範囲】
【請求項１】
医用画像に基づいて患者の手術プランを作成するとともに治療機器の保管場所へ医療機関への治療機器の出荷指示を行う治療機器管理装置と、医療機関内に設置されるゲートウェイサーバーと、治療機器の保管場所に設置される保管場所端末とを備えた治療機器管理システムであって、
前記ゲートウェイサーバーは、
患者を撮影した医用画像を取得する医用画像取得手段と、
前記医用画像取得手段によって取得された前記医用画像を前記治療機器管理装置へ送信する医用画像送信手段とを備え
前記治療機器管理装置は、
前記ゲートウェイサーバーから受信した前記医用画像に基づいて、患者の手術プランを作成する手術プラン作成手段と、
前記手術プラン作成手段によって作成された前記手術プランに基づいて患者の手術のために必要な治療機器を特定し、特定した治療機器を手術が行われる医療機関へ出荷するための出荷指示情報を作成する出荷指示情報作成手段と、
前記出荷指示情報作成手段によって作成された前記出荷指示情報を治療機器が保管されている保管場所に設置されている前記保管場所端末へ送信して、出荷指示を行う出荷指示手段とを備えることを特徴とする治療機器管理システム。
【請求項２】
請求項１に記載の治療機器管理システムにおいて、
前記治療機器管理装置は、前記ゲートウェイサーバーから患者の手術予定日の情報を受信する手術予定日情報受信手段をさらに備え、
前記出荷指示情報作成手段は、患者の手術予定日の情報も含めて前記出荷指示情報を作成することを特徴とする治療機器管理システム。
【請求項３】
請求項１または２に記載の治療機器管理システムにおいて、
前記手術プラン作成手段は、手術で使用する治療機器の種類や数の情報も含めて前記手術プランを作成することを特徴とする治療機器管理システム。
【請求項４】
請求項１〜３のいずれか一項に記載の治療機器管理システムにおいて、
医療機関に設置される院内端末をさらに備え、
前記院内端末は、前記手術プラン作成手段によって作成された前記手術プランを取得して表示装置に表示する表示手段を備えることを特徴とする治療機器管理システム。
【請求項５】
請求項４に記載の治療機器管理システムにおいて、
前記表示装置に表示する前記手術プランには、患者の術後の状態をイメージしたイメージ画像も含まれることを特徴とする治療機器管理システム。
【請求項６】
請求項１〜５のいずれか一項に記載の治療機器管理システムにおいて、
前記治療機器は、使用可能な有効期限が設定されている機器であることを特徴とする治療機器管理システム。
【請求項７】
請求項６に記載の治療機器管理システムにおいて、
前記治療機器は、滅菌の有効期限が設定されている血管内治療に用いる血管内分野治療機器と整形外科治療に用いる整形分野治療機器を含むことを特徴とする治療機器管理システム。
【請求項８】
請求項１〜７のいずれか一項に記載の治療機器管理システムにおいて、
前記治療機器管理装置は、
前記保管場所からの前記治療機器の出荷状況や前記保管場所における前記治療機器の在庫状況を示した在庫・出荷レポートを作成するレポート作成手段をさらに備えることを特徴とする治療機器管理システム。
【発明の詳細な説明】
【技術分野】
【０００１】
本発明は、治療機器管理システムに関する。
【背景技術】
【０００２】
次のような医療機器流通管理システムが知られている。この医療機器流通管理システムでは、手術に使用される各種の手術器械及び医療機材を、流通拠点から医療機関に配送するために、医療機材の使用可能期限が近づいたときに、その医療機材を使用する可能性が高い医療機関に移送する指示を与える（例えば、特許文献１）。
【先行技術文献】
【特許文献】
【０００３】
【特許文献１】特開２００６−３１８０３８号公報
【発明の概要】
【発明が解決しようとする課題】
【０００４】
医療に用いられる治療機器を保管場所から出荷して医療機関へ届けるための方法が考えられる。例えば、従来の医療機器流通管理システムでは、使用可能期限が設定された医療機材が未使用であって使用可能期限までの残り期間が所定期間よりも短くなった場合に、使用可能期限内に医療機材が使用される可能性が高い医療機関に医療機材を移送する旨の指示を行うことにより、医療器材が未使用のまま使用可能期限を越えてしまうことを防いでいる。しかしながら、従来の医療機器流通管理システムでは、使用可能期限内に医療機材が使用される可能性が高い医療機関に医療機材を移送することはできるが、その医療機関が実際に医療器材を使用するかどうかはわからないため、実際には使用しない機器も医療機関に送ってしまう可能性があった。このため、治療機器を実際に使用する予定がある医療機関へ出荷するように指示できる仕組みが求められているが、従来の医療機器流通管理システムでは、このような仕組みについて何ら検討されていなかった。
【課題を解決するための手段】
【０００５】
本発明による治療機器管理システムは、医用画像に基づいて患者の手術プランを作成するとともに治療機器の保管場所へ医療機関への治療機器の出荷指示を行う治療機器管理装置と、医療機関内に設置されるゲートウェイサーバーと、治療機器の保管場所に設置される保管場所端末とを備えた治療機器管理システムであって、ゲートウェイサーバーは、患者を撮影した医用画像を取得する医用画像取得手段と、医用画像取得手段によって取得された医用画像を治療機器管理装置へ送信する医用画像送信手段とを備え、治療機器管理装置は、ゲートウェイサーバーから受信した医用画像に基づいて、患者の手術プランを作成する手術プラン作成手段と、手術プラン作成手段によって作成された手術プランに基づいて患者の手術のために必要な治療機器を特定し、特定した治療機器を手術が行われる医療機関へ出荷するための出荷指示情報を作成する出荷指示情報作成手段と、出荷指示情報作成手段によって作成された出荷指示情報を治療機器が保管されている保管場所に設置されている保管場所端末へ送信して、出荷指示を行う出荷指示手段とを備えることを特徴とする。
【発明の効果】
【０００６】
本発明によれば、患者を撮影した医療画像に基づいて該患者の手術で使用する治療機器を特定し、特定した治療機器を保管場所から医療機関に向けて出荷するように指示することができるため、実際に使用される治療機器を手術を行う医療機関へ出荷させることができる。
【図面の簡単な説明】
【０００７】
【図１】治療機器管理システム１０の一実施の形態の構成を示すブロック図である。
【図２】院内端末１００の一実施の形態の構成を示すブロック図である。
【図３】ゲートウェイサーバー２００の一実施の形態の構成を示すブロック図である。
【図４】治療機器管理装置３００の一実施の形態の構成を示すブロック図である。
【図５】保管場所端末４００の一実施の形態の構成を示すブロック図である。
【図６】手術プランの表示例を示す図である。
【図７】院内端末１００で実行される予定日情報送信処理の流れを示すフローチャート図である。
【図８】院内端末１００で実行される手術プラン表示処理の流れを示すフローチャート図である。
【図９】ゲートウェイサーバー２００で実行される医用画像送信処理の流れを示すフローチャート図である。
【図１０】ゲートウェイサーバー２００で実行される手術プラン情報記録処理の流れを示すフローチャート図である。
【図１１】ゲートウェイサーバー２００で実行される予定日情報中継処理の流れを示すフローチャート図である。
【図１２】治療機器管理装置３００で実行される手術プラン作成処理の流れを示すフローチャート図である。
【図１３】治療機器管理装置３００で実行される出荷指示処理の流れを示すフローチャート図である。
【図１４】保管場所端末４００で実行される処理の流れを示すフローチャート図である。
【図１５】治療機器の在庫・出荷レポートの一例を示す図である。
【発明を実施するための形態】
【０００８】
図１は、本実施の形態における治療機器管理システム１０の一実施の形態の構成を示すブロック図である。治療機器管理システム１０は、治療機器を使用して治療行為を行う医療機関、例えば病院内に設置された院内端末１００と、医療機関内に設置されて医療撮影機器によって撮影された医用画像を取得して治療機器管理装置３００へ送信するゲートウェイサーバー２００と、医用画像に基づいて患者の手術プランを作成するとともに治療機器の保管場所へ医療機関への治療機器の出荷指示を行う治療機器管理装置３００と、治療機器の保管場所に設置された保管場所端末４００とを備えている。
【０００９】
治療機器管理システム１０では、ゲートウェイサーバー２００と治療機器管理装置３００、および治療機器管理装置３００と保管場所端末４００とは、それぞれインターネットなどの通信回線を介して接続されている。また、院内端末１００とゲートウェイサーバー２００は、医療機関、例えば病院内に敷設されたＬＡＮなどの通信回線を介して接続されている。
【００１０】
本実施の形態では、治療機器は、使用可能な有効期限が設定されている機器を想定する。例えば、治療機器としては、滅菌の有効期限が設定されている血管内治療に用いる血管内分野治療機器と整形外科治療に用いる整形分野治療機器を含むものとする。血管内分野治療機器は、ステント、デリバリーワイヤー、カテーテル、血栓回収、ステントグラフト、アビュレーションカテーテル、大動脈弁植込えみ、ペースメーカー、およびコイルを含み、整形分野治療機器は、ボルト、プレート、ネイル、ロッド、スクリュー、ケージ、ステント、および人工関節を含む。体内に埋め込まれるインプラントであるステント、血栓回収、ステントグラフト、大動脈弁植込えみ、ペースメーカー、コイル、ボルト、プレート、ネイル、ロッド、スクリュー、ケージ、および人工関節や、体内に入れたあとに使い捨てられるカテーテル、デリバリーワイヤー、およびアビュレーションカテーテルは、滅菌処理が施されており、これらには滅菌の有効期限が設定されている。
【００１１】
院内端末１００は、例えば、スマートフォン、携帯電話機、タブレット端末、パソコンなどが用いられる。図２は、本実施の形態における院内端末１００として、パソコンを用いた場合の一実施の形態の構成を示すブロック図である。
【００１２】
院内端末１００は、操作部材１０１と、接続インターフェース１０２と、制御装置１０３と、記憶媒体１０４と、表示装置１０５とを備えている。
【００１３】
操作部材１０１は、院内端末１００の操作者によって操作される種々の装置、例えばキーボードやマウスを含む。
【００１４】
接続インターフェース１０２は、院内端末１００を他の装置や端末等の外部機器と接続するためのインターフェースである。例えば、接続インターフェース１０２には、ＬＡＮやインターネット等の通信回線に接続するためのインターフェースが含まれる。院内端末１００は、この接続インターフェース１０２を介してゲートウェイサーバー２００と通信を行う。
【００１５】
制御装置１０３は、ＣＰＵ、メモリ、およびその他の周辺回路によって構成され、院内端末１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース１０２を介して読み込まれたデータは、バッファメモリに一時的に記録される。
【００１６】
記憶媒体１０４は、院内端末１００が蓄える種々のデータや、制御装置１０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体１０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体１０４にインストールすることによって、制御装置１０３がプログラムを実行できるようになる。
【００１７】
表示装置１０５は、例えば液晶モニタであって、制御装置１０３から出力される種々の表示用データが表示される。
【００１８】
ゲートウェイサーバー２００は、院内端末１００と同じ医療機関内に設置されたサーバー装置である。図３は、本実施の形態におけるゲートウェイサーバー２００の一実施の形態の構成を示すブロック図である。ゲートウェイサーバー２００は、接続インターフェース２０１と、制御装置２０２と、記憶媒体２０３とを備えている。
【００１９】
接続インターフェース２０１は、ゲートウェイサーバー２００をインターネットやＬＡＮ等の通信回線に接続するためのインターフェースであり、例えば、通信回線に有線で接続するためのモジュールや、通信回線に無線で接続するためのモジュールを含んでいる。本実施の形態では、ゲートウェイサーバー２００は、この接続インターフェース２０１を介して院内端末１００や治療機器管理装置３００と通信する。
【００２０】
制御装置２０２は、ＣＰＵ、メモリ、およびその他の周辺回路によって構成され、ゲートウェイサーバー２００の全体を制御する。なお、制御装置２０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース２０１を介して読み込まれたデータは、バッファメモリに一時的に記録される。
【００２１】
記憶媒体２０３は、ゲートウェイサーバー２００が蓄える種々のデータや、制御装置２０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体２０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体２０３にインストールすることによって、制御装置２０２がプログラムを実行できるようになる。
【００２２】
治療機器管理装置３００は、インターネットに接続された装置であって、例えば、パソコンやサーバーなどが用いられる。図４は、本実施の形態における治療機器管理装置３００として、サーバー装置を用いた場合の一実施の形態の構成を示すブロック図である。治療機器管理装置３００は、接続インターフェース３０１と、制御装置３０２と、記憶媒体３０３とを備えている。
【００２３】
接続インターフェース３０１は、治療機器管理装置３００をインターネット等の通信回線に接続するためのインターフェースであり、例えば、インターネットに有線で接続するための有線ＬＡＮモジュールや、インターネットに無線で接続するための無線ＬＡＮモジュールなどを含んでいる。本実施の形態では、治療機器管理装置３００は、この接続インターフェース３０１を介してゲートウェイサーバー２００や保管場所端末４００と通信する。
【００２４】
制御装置３０２は、ＣＰＵ、メモリ、およびその他の周辺回路によって構成され、治療機器管理装置３００の全体を制御する。なお、制御装置３０２を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース３０１を介して読み込まれたデータは、バッファメモリに一時的に記録される。
【００２５】
記憶媒体３０３は、治療機器管理装置３００が蓄える種々のデータや、制御装置３０２が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体３０３に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体３０３にインストールすることによって、制御装置３０２がプログラムを実行できるようになる。
【００２６】
保管場所端末４００は、例えば、スマートフォン、携帯電話機、タブレット端末、パソコンなどが用いられる。図５は、本実施の形態における保管場所端末４００として、パソコンを用いた場合の一実施の形態の構成を示すブロック図である。
【００２７】
保管場所端末４００は、操作部材４０１と、接続インターフェース４０２と、制御装置４０３と、記憶媒体４０４と、表示装置４０５とを備えている。
【００２８】
操作部材４０１は、保管場所端末４００の操作者によって操作される種々の装置、例えばキーボードやマウスを含む。
【００２９】
接続インターフェース４０２は、保管場所端末４００を他の装置や端末等の外部機器と接続するためのインターフェースである。例えば、接続インターフェース４０２には、ＬＡＮやインターネット等の通信回線に接続するためのインターフェースが含まれる。保管場所端末４００は、この接続インターフェース４０２を介して治療機器管理装置３００と通信を行う。
【００３０】
制御装置４０３は、ＣＰＵ、メモリ、およびその他の周辺回路によって構成され、保管場所端末４００の全体を制御する。なお、制御装置４０３を構成するメモリは、例えばＳＤＲＡＭ等の揮発性のメモリである。このメモリは、ＣＰＵがプログラム実行時にプログラムを展開するためのワークメモリや、データを一時的に記録するためのバッファメモリとして使用される。例えば、接続インターフェース４０２を介して読み込まれたデータは、バッファメモリに一時的に記録される。
【００３１】
記憶媒体４０４は、保管場所端末４００が蓄える種々のデータや、制御装置４０３が実行するためのプログラムのデータ等を記録するための記憶媒体であり、例えばＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）等が用いられる。なお、記憶媒体４０４に記録されるプログラムのデータは、ＣＤ−ＲＯＭやＤＶＤ−ＲＯＭなどの記録媒体に記録されて提供されたり、ネットワークを介して提供され、操作者が取得したプログラムのデータを記憶媒体４０４にインストールすることによって、制御装置４０３がプログラムを実行できるようになる。
【００３２】
表示装置４０５は、例えば液晶モニタであって、制御装置４０３から出力される種々の表示用データが表示される。
【００３３】
本実施の形態における治療機器管理システム１０では、治療機器管理装置３００の制御装置３０２は、医療機関から患者の医用画像を受信し、受信した医用画像に基づいて患者の手術プランを作成する。制御装置３０２は、作成した手術プランに基づいて手術で使用される治療機器を特定し、特定した治療機器を患者の手術が行われる医療機関へ出荷するように保管場所端末４００へ出荷指示を行う。以下、本実施の形態における治療機器管理システム１０における処理について説明する。
【００３４】
本実施の形態では、患者の手術を行う医療機関、例えば病院では、担当医師の指示のもとで患者の医用画像が撮影される。医用画像としては、例えばＸ線画像、ＣＴ画像、ＭＲＩ画像などが想定される。撮影された医用画像のデータは医用画像を撮影した医療撮影機器が備える記憶媒体または医療撮影機器に接続された外部記憶媒体に保存される。本実施の形態では、医用画像のデータには撮影した患者を識別するための患者情報が付されているものとし、例えば、公知のＤＩＣＯＭ規格の画像データとする。
【００３５】
ゲートウェイサーバー２００は、医療撮影機器で撮影された医用画像の画像データを取得して治療機器管理装置３００へ送信する機能を有している。制御装置２０２は、治療機器管理装置３００への画像データの送信タイミングにおいて、医用画像のデータが記録されている記憶媒体から医用画像の画像データを取得して治療機器管理装置３００へ送信する。なお、治療機器管理装置３００への画像データの送信タイミングは特に限定されず、例えば、操作者によって指示されたタイミングで行ってもよいし、あらかじめ設定された時刻に自動的に行ってもよいし、あらかじめ設定された所定時間間隔で自動的に行ってもよい。
【００３６】
治療機器管理装置３００では、制御装置３０２は、ゲートウェイサーバー２００から医用画像の画像データを受信すると、受信した画像データを記憶媒体２０３に記録するとともに、受信した画像データに基づいて患者の手術プランを作成する。医用画像に基づいて患者の手術プランを作成するための処理は、公知の処理のため詳細な説明は省略する。手術プランは、手術で使用する治療機器の種類や数の情報を含むため、制御装置３０２は、手術プランに基づいて手術で使用される治療機器を特定することができる。
【００３７】
患者の手術プランに応じて使用する治療機器は異なるが、本実施の形態では、一例として、血管内の瘤をステントやコイルを用いて治療するための血管内治療の手術プランと、人工プレートを用いて骨折を治療するための外傷治療の手術プランを想定する。本実施の形態では、上述したように、手術プランを作成するための処理は公知の処理を用いるが、血管内の瘤をステントやコイルを用いて治療するための血管内治療の手術プランを作成して手術のために使用する治療機器を特定するための処理は、例えば以下のような方法が考えられる。
【００３８】
この場合、瘤が存在する部位を含んだ血管を撮影した血管画像が医用画像としてゲートウェイサーバー２００から治療機器管理装置３００へ送信される。制御装置３０２は、この血管画像を対象として、瘤が存在する対象部位と対象部位の血管径を特定し、瘤の体積を算出する。血管画像に基づいて瘤が存在する対象部位を特定するための処理、対象部位の血管径を特定するための処理、瘤の体積を算出するための処理は、公知の処理のため説明を省略する。
【００３９】
制御装置３０２は、特定した対象部位と瘤の体積とに基づいて、手術に用いるコイルの種類と本数を特定する。本実施の形態では、例えば、瘤の体積の４０％をコイルで埋めることが目安として設定されているものとする。この場合、制御装置３０２は、瘤の体積の４０％を埋めるのに適したコイルの種類を特定し、特定したコイルの径と長さからコイル１本あたりの体積を算出し、次式（１）により手術で用いるコイルの本数を算出する。
手術で使用するコイルの本数＝瘤の体積×０．４÷コイルの体積  ・・・（１）
【００４０】
また、制御装置３０２は、特定した対象部位と血管径とに基づいて、手術に用いるステントの種類を特定する。本実施の形態では、ステントの留置部位かその周辺に穿通枝がある場合は、使用するステントの種類はＶＲＤとし、あわせてコイルも使用すると特定する。また、瘤の部位かその周辺に穿通枝がない場合は、使用するステントの種類はＦｌｏｗＤｉｖｅｒｔｅｒと特定する。制御装置３０２は、上記処理で算出したコイルの種類、本数、ステントの種類に基づいて、使用するカテーテルを特定する。これによって患者を手術するための手術プランが作成され、該手術プランに基づいて手術で使用する治療機器を特定することができる。
【００４１】
また、人工プレートを用いて骨折を治療するための外傷治療の手術プランを作成して手術のために使用する治療機器を特定するための処理は、例えば以下のような方法が考えられる。
【００４２】
この場合、患者の骨折部位を含んだ骨のＸ線画像が医用画像としてゲートウェイサーバー２００から治療機器管理装置３００へ送信される。制御装置３０２は、このＸ線画像を対象として、骨折部位を対象部位として特定し、骨折部位の骨の径を特定する。Ｘ線画像に基づいて骨折部位を特定するための処理や骨折部位の骨の径を特定するための処理は、公知の処理のため説明を省略する。
【００４３】
制御装置３０２は、特定した対象部位と骨折部位の骨の径とに基づいて、手術に用いる人工プレートを特定する。また、特定した人工プレートに基づいて、使用するスクリューとネイルの種類及び本数を特定する。これによって患者を手術するための手術プランが作成され、該手術プランに基づいて手術で使用する治療機器を特定することができる。
【００４４】
制御装置３０２は、作成した手術プランの内容を示す手術プラン情報をゲートウェイサーバー２００へ送信する。このとき、制御装置３０２は、手術プラン情報を記憶媒体３０３へ保存しておく。
【００４５】
ゲートウェイサーバー２００では、制御装置２０２は、治療機器管理装置３００から手術プラン情報を受信すると、受信した手術プラン情報を記憶媒体２０３へ記録する。
【００４６】
医師等は、院内端末１００を操作して、手術プランの表示を指示することができる。院内端末１００では、制御装置１０３は、操作者によって手術プランの表示が指示されると、ゲートウェイサーバー２００にアクセスして手術プラン情報を取得し、表示装置１０５に表示する。これによって、表示装置１０５には例えば図６に示すような手術プランが表示され、担当医師等は患者の手術プランを確認することができる。なお、図６に示す例は、血管内の瘤をステントやコイルを用いて治療するための血管内治療の手術プランの一例を示している。また、治療機器管理装置３００では、手術プランを作成する際に、術後の状態をイメージしたイメージ画像も生成するようにし、図６に示すように手術プランとともに術後イメージの画像も表示できるようにしてもよい。
【００４７】
患者の手術を担当する医師等は、患者の手術予定日が決まった場合には、院内端末１００を操作して手術プランに対して手術予定日を入力する。制御装置１０３は、患者の手術予定日が入力されると、手術プランを特定するための情報と、手術予定日、手術が行われる医療機関、担当医師の各情報とを含んだ予定日情報をゲートウェイサーバー２００に送信する。
【００４８】
ゲートウェイサーバー２００では、制御装置２０２は、院内端末１００から予定日情報を受信すると、受信した予定日情報を治療機器管理装置３００へ送信する。
【００４９】
治療機器管理装置３００では、制御装置３０２は、ゲートウェイサーバー２００から予定日情報を受信すると、該当する手術プランを特定して、手術が行われる医療機関の担当医師に宛てて手術で使用される治療機器を出荷させるための出荷指示情報を作成する。出荷指示情報には、予定日情報に含まれる情報とともに、手術プランに基づいて特定された手術で使用する治療機器の情報が含まれる。制御装置３０２は、作成した出荷指示情報を保管場所端末４００へ送信する。
【００５０】
保管場所端末４００では、制御装置４０３は、治療機器管理装置３００から出荷指示情報を受信すると、受信した出荷指示情報を記憶媒体４０４に記録する。保管場所の担当者は、出荷指示情報をプリントアウトしたり表示装置４０５に表示したりすることによって出荷指示の内容を確認し、手術予定日に間に合うように、出荷指示の内容に従って指定された出荷先に、手術で使用される治療機器を出荷するための手続を行う。これによって、手術で使用される治療機器が手術予定日までに担当医師のもとに到着することになる。
【００５１】
図７は、本実施の形態における院内端末１００で実行される予定日情報送信処理の流れを示すフローチャートである。図７に示す処理は、操作者によって患者の手術予定日が入力されることにより予定日情報の送信が指示されると起動するプログラムとして、制御装置１０３によって実行される。
【００５２】
ステップＳ１０において、制御装置１０３は、手術プランを特定するための情報と、手術予定日、手術が行われる医療機関、担当医師の各情報とを含んだ予定日情報をゲートウェイサーバー２００に送信する。その後、処理を終了する。
【００５３】
図８は、本実施の形態における院内端末１００で実行される手術プラン表示処理の流れを示すフローチャートである。図８に示す処理は、操作者によって患者の手術プランの表示が指示されると起動するプログラムとして、制御装置１０３によって実行される。
【００５４】
ステップＳ１１０において、制御装置１０３は、ゲートウェイサーバー２００にアクセスして手術プラン情報を取得する。その後ステップＳ１２０へ進む。
【００５５】
ステップＳ１２０では、制御装置１０３は、ゲートウェイサーバー２００から取得した手術プランの情報に基づいて、患者の手術プランを表示装置１０５に表示する。その後、処理を終了する。
【００５６】
図９は、本実施の形態におけるゲートウェイサーバー２００で実行される医用画像送信処理の流れを示すフローチャートである。図９に示す処理は、上述したように、治療機器管理装置３００への医用画像の画像データの送信タイミングにおいて起動するプログラムとして、制御装置２０２によって実行される。
【００５７】
ステップＳ２１０において、制御装置２０２は、医用画像が記録されている記憶媒体から医用画像の画像データを取得する。その後、ステップＳ２２０へ進む。
【００５８】
ステップＳ２２０では、制御装置２０２は、ステップＳ２１０で取得した医用画像の画像データを治療機器管理装置３００へ送信する。その後、処理を終了する。
【００５９】
図１０は、本実施の形態におけるゲートウェイサーバー２００で実行される手術プラン情報記録処理の流れを示すフローチャートである。図１０に示す処理は、上述したように、治療機器管理装置３００から手術プラン情報を受信すると起動するプログラムとして、制御装置２０２によって実行される。
【００６０】
ステップＳ３１０において、制御装置２０２は、治療機器管理装置３００から受信した手術プラン情報を記憶媒体２０３へ記録する。その後、処理を終了する。
【００６１】
図１１は、本実施の形態におけるゲートウェイサーバー２００で実行される予定日情報中継処理の流れを示すフローチャートである。図１１に示す処理は、上述したように、院内端末１００から予定日情報を受信すると起動するプログラムとして、制御装置２０２によって実行される。
【００６２】
ステップＳ４１０において、制御装置２０２は、院内端末１００から受信した予定日情報を治療機器管理装置３００へ送信する。その後、処理を終了する。
【００６３】
図１２は、本実施の形態における治療機器管理装置３００で実行される手術プラン作成処理の流れを示すフローチャートである。図１２に示す処理は、上述したように、ゲートウェイサーバー２００から患者の医用画像のデータを受信すると起動するプログラムとして、制御装置３０２によって実行される。
【００６４】
ステップＳ５１０において、制御装置３０２は、ゲートウェイサーバー２００から受信した医用画像の画像データを記憶媒体２０３に記録する。その後、ステップＳ５２０へ進む。
【００６５】
ステップＳ５２０では、制御装置３０２は、上述した手術プラン作成のための処理を実行して、医用画像の画像データに基づいて患者の手術プランを作成する。その後、ステップＳ５３０へ進む。
【００６６】
ステップＳ５３０では、制御装置３０２は、作成した手術プランの内容を示す手術プラ情報を記憶媒体３０３に記録する。その後、ステップＳ５４０へ進む。
【００６７】
ステップＳ５４０では、制御装置３０２は、手術プラン情報をゲートウェイサーバー２００へ送信する。その後、処理を終了する。
【００６８】
図１３は、本実施の形態における治療機器管理装置３００で実行される出荷指示処理の流れを示すフローチャートである。図１３に示す処理は、上述したように、ゲートウェイサーバー２００から患者の手術予定日を含んだ予定日情報を受信すると起動するプログラムとして、制御装置３０２によって実行される。
【００６９】
ステップＳ６１０において、制御装置３０２は、ゲートウェイサーバー２００から受信した予定日情報に基づいて該当する手術プランを特定し、手術が行われる医療機関の担当医師に宛てて手術で使用される治療機器を出荷させるための情報を含んだ出荷指示情報を作成する。その後、ステップＳ６２０へ進む。
【００７０】
ステップＳ６２０では、制御装置３０２は、作成した出荷指示情報を保管場所端末４００へ送信する。その後、処理を終了する。
【００７１】
図１４は、本実施の形態における保管場所端末４００で実行される処理の流れを示すフローチャートである。図１４に示す処理は、治療機器管理装置３００から出荷指示情報を受信すると起動するプログラムとして、制御装置４０３によって実行される。
【００７２】
ステップＳ７１０において、治療機器管理装置３００から受信した出荷指示情報を記憶媒体４０４に記録する。その後、ステップＳ７２０へ進む。
【００７３】
ステップＳ７２０では、制御装置４０３は、操作者によって出荷指示情報の出力が指示されたか否を判断する。なお、ここでの出力指示は、表示装置４０５へ表示させるための出力指示や外部の印刷装置へ出力させるための出力指示や他の表示用端末へ出力させるための出力指示等を含む。ステップＳ７２０で肯定判断した場合には、ステップＳ７３０へ進む。
【００７４】
ステップＳ７３０では、制御装置４０３は、操作者からの出力指示に応じた出力先へ出荷指示情報を出力する。その後、処理を終了する。
【００７５】
以上説明した実施の形態によれば、以下のような作用効果を得ることができる。
（１）ゲートウェイサーバー２００の制御装置２０２は、撮影機器で撮影された患者の医用画像を取得し、治療機器管理装置３００の制御装置３０２は、ゲートウェイサーバー２００によって取得された医用画像に基づいて、患者の手術プランを作成し、作成した手術プランに基づいて患者の手術のために必要な治療機器を特定し、特定した治療機器を手術が行われる医療機関へ出荷するための出荷指示情報を作成し、出荷指示情報を治療機器が保管されている保管場所に設置されている保管場所端末４００へ送信して、出荷指示を行うようにした。これによって、患者の手術で使用される治療機器を特定し、実際に使用される治療機器を医療機関へ出荷するように、物流センターなどの治療機器の保管場所に指示することができる。
【００７６】
（２）院内端末１００の制御装置１０３は、患者の手術予定日の入力を受け付け、治療機器管理装置３００の制御装置３０２は、院内端末１００で入力された患者の手術予定日の情報も含めて出荷指示情報を作成するようにした。これによって、患者の手術予定日までに治療機器が医療機関に到着するように出荷指示を行うことができる。
【００７７】
（３）治療機器管理装置３００の制御装置３０２は、手術で使用する治療機器の種類や数の情報も含めて手術プランを作成するようにした。これによって、出荷指示情報に出荷対象とする治療機器の種類や数の情報を含めることができる。
【００７８】
（４）院内端末１００の制御装置１０３は、操作者によって指示されたときに、ゲートウェイサーバー２００にアクセスして手術プラン情報を取得し、表示装置１０５に表示するようにした。これによって、医師等の院内端末１００の操作者は、患者の手術プランを確認することができる。
【００７９】
（５）院内端末１００上で表示される手術プランには、患者の術後の状態をイメージしたイメージ画像も含まれるようにした。これによって、医師等は、画像により患者の術後の状態をイメージすることができる。
【００８０】
（６）治療機器は、使用可能な有効期限が設定されている機器であって、血管内治療に用いる血管内分野治療機器と整形外科治療に用いる整形分野治療機器とを含むようにした。これによって、使用可能な有効期限が設定されている治療機器は、有効期限内に使用する必要があるため医療機関は在庫リスクを抱えることになるが、上述した実施の形態によれば手術で使用される治療機器を対象として出荷指示を行うことができるため、使用可能な有効期限が設定されている治療機器の在庫リスクを低減させることができる。
【００８１】
（７）血管内分野治療機器は、ステント、デリバリーワイヤー、カテーテル、血栓回収、ステントグラフト、アビュレーションカテーテル、大動脈弁植込えみ、ペースメーカー、およびコイルを含み、整形分野治療機器は、ボルト、プレート、ネイル、ロッド、スクリュー、ケージ、ステント、および人工関節を含むようにした。これによって、滅菌の有効期限が設定されている治療機器を対象として出荷指示を行うことができる。
【００８２】
―変形例―
なお、上述した実施の形態の治療機器管理システムは、以下のように変形することもできる。
（１）上述した実施の形態では、院内端末１００では、制御装置１０３は、操作者によって手術プランの表示が指示されると、ゲートウェイサーバー２００にアクセスして手術プラン情報を取得して表示装置１０５に表示するようにした。この場合、担当医師は、手術で使用する治療機器の使用方法等について、治療機器メーカーに相談や質問をしたい場合が考えられる。このため、治療機器管理システム１０では、院内端末１００と治療機器メーカーに設置されている端末との間で手術プランを共有したビデオ会議を可能にしてもよい。この場合、院内端末１００と治療機器メーカーに設置されている端末のそれぞれに手術プランを共有したビデオ会議を行うためのソフトウェアを導入するようにしてもよいし、治療機器管理装置３００に手術プランを共有したビデオ会議を行うための環境を構築して院内端末１００と治療機器メーカーに設置されている端末は、治療機器管理装置３００を介してビデオ会議を行うようにしてもよい。これによって、担当医師は、オンラインのビデオ会議を利用して手術で使用する治療機器について手術プランを参照しながら治療機器メーカーの担当者に相談することができる。
【００８３】
（２）上述した実施の形態では、治療機器の保管場所の担当者は、出荷指示情報をプリントアウトしたり表示装置４０５に表示したりすることによって出荷指示の内容を確認し、手術予定日に間に合うように、出荷指示の内容に従って指定された出荷先に指定された治療機器を出荷するようにした。このとき、治療機器管理装置３００の記憶媒体３０３に、保管場所からの治療機器の出荷状況や保管場所における治療機器の在庫状況のデータを記録しておくようにしてもよい。この場合、保管場所端末４００の操作者は、治療機器を出荷した場合は、治療機器ごとの出荷数を入力して治療機器管理装置３００の記憶媒体３０３に記録された在庫数や出荷数の情報を更新すればよい。そして、制御装置３０２は、治療機器管理装置３００の操作者、保管場所端末４００の操作者、または治療機器メーカーに設置された端末の操作者からの指示に基づいて、保管場所からの治療機器の出荷状況や保管場所における治療機器の在庫状況を示した在庫・出荷レポートを作成し、指示元の端末へ送信するようにしてもよい。これによって、例えば図１５に示すような在庫・出荷レポートが作成され、指示元の操作者は、保管場所からの治療機器の出荷状況や保管場所における治療機器の在庫状況を把握することができる。
【００８４】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００８５】
１０  治療機器管理システム
１００  院内端末
１０１  操作部材
１０２  接続インターフェース
１０３  制御装置
１０４  記憶媒体
１０５  表示装置
２００  ゲートウェイサーバー
２０１  接続インターフェース
２０２  制御装置
２０３  記憶媒体
３００  治療機器管理装置
３０１  接続インターフェース
３０２  制御装置
３０３  記憶媒体
４００  保管場所端末
４０１  操作部材
４０２  接続インターフェース
４０３  制御装置
４０４  記憶媒体
４０５  表示装置
【要約】
【課題】治療機器の保管場所に医療機関で使用する治療機器の出荷を指示すること。
【解決手段】
治療機器管理システム１０は、患者を撮影した医用画像を取得する医用画像取得手段と、医用画像取得手段によって取得された医用画像に基づいて、患者の手術プランを作成する手術プラン作成手段と、手術プラン作成手段によって作成された手術プランに基づいて患者の手術のために必要な治療機器を特定し、特定した治療機器を手術が行われる医療機関へ出荷するための出荷指示情報を作成する出荷指示情報作成手段と、出荷指示情報作成手段によって作成された出荷指示情報を治療機器が保管されている保管場所に設置されている端末へ送信して、出荷指示を行う出荷指示手段とを備える。
【選択図】図１【図１】
0006799298.tif 000002
【図２】
0006799298.tif 000003
【図３】
0006799298.tif 000004
【図４】
0006799298.tif 000005
【図５】
0006799298.tif 000006
【図６】
0006799298.tif 000007
【図７】
0006799298.tif 000008
【図８】
0006799298.tif 000009
【図９】
0006799298.tif 000010
【図１０】
0006799298.tif 000011
【図１１】
0006799298.tif 000012
【図１２】
0006799298.tif 000013
【図１３】
0006799298.tif 000014
【図１４】
0006799298.tif 000015
【図１５】
0006799298.tif 000016